(57)【要約】  プラスチック製窓システム１０が、透明のプラスチック・パネル１４と、該プラスチック・パネル１４に設けられた導電性グリッド１２とを含んでいる。該導電性グリッド１２は少なくとも１バスバー１８，１９を含んでいる。バスバー１８，１９には電気端子３０が電気接続され、コネクタ５０が端子３０をバスバー１８，１９に固定している。コネクタ５０は、パネル１４から、パネル１４に対しバスバー１８，１９の外側位置に延びる部分を含んでいる。
2010525550.tif 000002
【特許請求の範囲】
【請求項１】
プラスチック製窓システムにおいて、
透明のプラスチック・パネルと、
プラスチック・パネル上に設けられ、少なくとも１バスバーを含む導電性グリッドと、
バスバーに電気接続された電気端子と、
バスバーに端子を固定するコネクタとを含み、該コネクタが、パネルから、パネルに対しバスバーの外側位置へ延びる部分を含む、プラスチック製窓システム。
【請求項２】
前記導電性グリッドが、アンテナ、エレクトロルミネセンス・ボーダー、発熱グリッドのうちの１つである、請求項１記載のプラスチック製窓システム。
【請求項３】
前記コネクタが押圧縁部クリップであり、該縁部クリップが、パネル内に受容される一端と、端子をバスバーに接触させるように付勢する他端とを含む、請求項１記載のプラスチック製窓システム。
【請求項４】
縁部クリップの前記他端が、該他端とバスバーとの間に端子を押止する、請求項３記載のプラスチック製窓システム。
【請求項５】
前記縁部クリップが、更に接着剤によってパネルに固定される、請求項３記載のプラスチック製窓システム。
【請求項６】
前記接着剤が縁部クリップの一端とパネルとの間に施される、請求項５記載のプラスチック製窓システム。
【請求項７】
縁部クリップの前記他端がパネル縁部内に形成された穴に受容される、請求項３記載のプラスチック製窓システム。
【請求項８】
前記コネクタにネジが切られており、前記端子が、コネクタにネジ締結されたナットによってコネクタと接触固定される請求項１記載のプラスチック製窓システム。
【請求項９】
前記コネクタがパネルの全厚にわたって延在している、請求項８記載のプラスチック製窓システム。
【請求項１０】
前記コネクタがパネルの全厚にわたっては延在していない、請求項１記載のプラスチック製窓システム。
【請求項１１】
前記コネクタが導電性である、請求項１記載のプラスチック製窓システム。
【請求項１２】
前記コネクタが、パネルに固定された雌ネジ付きボスと、該ボスにネジ締結されるボルトとを含む、請求項１記載のプラスチック製窓システム。
【請求項１３】
前記コネクタが、パネル表面に取り付けられ、パネルから外方へバスバーを貫通して延びる柱状部を含み、前記端子が該柱状部に受容される、請求項１記載のプラスチック製窓システム。
【請求項１４】
前記コネクタが不導性である、請求項１３記載のプラスチック製窓システム。
【請求項１５】
前記コネクタが柱状部に受容される圧縮ナットを含み、該圧縮ナットが端子を付勢してバスバーに接触させる、請求項１４記載のプラスチック製窓システム。
【請求項１６】
前記コネクタが導電性である、請求項１３記載のプラスチック製窓システム。
【請求項１７】
前記柱状部がネジ切りされている、請求項１６記載のプラスチック製窓システム。
【請求項１８】
前記端子が、パネルの側縁部内に形成された穴内に受容される、請求項１記載のプラスチック製窓システム。
【請求項１９】
前記コネクタが前記側縁部に形成された穴と端子とに対し横方向にパネル内へ延びている、請求項１８記載のプラスチック製窓システム。
【請求項２０】
前記導電性グリッドが、プラスチック・パネルと一体形成された発熱グリッドであり、該発熱グリッドが、導電性材料で形成された複数のグリッド線を有し、該複数グリッド線が、電源からグリッド線各々を経て電流が流れるとき、抵抗発熱する、請求項１記載のプラスチック製窓システム。
【発明の詳細な説明】
【技術分野】
【０００１】
本発明は、広くは、導電性グリッドを有するプラスチック・パネルへ電気端子を接続するコネクタに関するものである。より具体的には、本発明は、プラスチック製窓システムに霜取り能及び曇り取り能を付与するために、窓システムのプラスチック基板に設けた電気回路に電気端子を取り付ける取り付け部に関するものである。
【背景技術】
【０００２】
電気的に発熱可能なグリッドは、自動車の窓の、特にバックライトの霜取り及び曇り取り用に、長いこと使われてきた。電気発熱式の窓は、様々な種類のものが構成さているが、通常、窓の内側又は外側に配置された導電性の発熱グリッドを含んでいる。この発熱グリッドは、通常、対向する１対のバスバーを含み、その間に１連のグリッド線が延在している。発熱グリッドを電流が通る間、グリッド線の抵抗によって熱が発生する。この熱が窓に発散する結果、霜取り又は曇り取りが行われる。発熱グリッドに給電するため、グリッドは自動車の電気システムに接続される。
【０００３】
このように発熱グリッドに自動車の電気システムを接続するために、発熱グリッドのバスバーは、窓の縁部から突出する薄片タブを備えていた。自動車の電気システムのワイヤハーネス終端の複数端子が、タブに接続される。これらの端子は、構成は様々だが、ハウジングに囲まれたバネ式金属接点を含むことが多い。ハウジングがタブに取り付けられると、接点は、バスバーに対し付勢され、バスバーと接触する。
別の構成の場合、接合パッドがバスバーと一体形成され、自動車の電気システムに接続された端子が接合パッドに直接にろう付けされる。
【０００４】
前記構成は、各々、周知の問題点や限界点を有している。バネ接点の限界点の例証となるのは、自動車の寿命のある間に、疲労及び／又は振動のために弛み、その結果、発熱グリッドが働かなくなるか、又は僅かしか働かなくなる点である。接合パッド構成の限界点は、ろうが過少又は過剰の場合、端子と接合パッド間の結合度が不足する結果、端子が接合パッドからはずれやすくなる。プラスチックが低Ｔｇであるため、伝統的な高温用のろうは、バスバー１８，２９への堅固な接合には使用できない。この種のろうのろう付け温度は、高すぎる結果、パネル１４のプラスチックを損傷する。残念なことに、市販の低温用ろうは、導電性の接着剤もそうだが、接合強さ又は信頼性が十分ではない。そうした材料での接合の結果、端子がバスバーに接合された場合、パネル表面と平行に僅かに２．２７ｋｇ又は２．７２ｋｇ（５又は６ポンド）の力を加えるだけで、端子は解離してしまう。通常、元の装置製造業者（ＯＥＭ）は、接合部が、１２．２５ｋｇ（２７ポンド）を超える力を加えなければ解離しないように要求している。
【０００５】
ＵＳ４，１００，３９８に開示されている積層電気発熱窓では、各バスバーの一部が窓の縁部から突出し、それによって自動車のワイヤハーネスと接続されている。バスバーは、その端部に個別の電気接点を含み、ワイヤハーネスとピン／ソケット接続部を形成している。
ＵＳ４，２４６，４６７に開示された発熱可能な窓の場合は、端子がバスバーにろう付けされている。
ＵＳ５，８９７，４０６には、電気発熱ガラス板用の端子が開示されている。
【発明の概要】
【発明が解決しようとする課題】
【０００６】
前述のことを考えれば、プラスチック製窓システムの発熱グリッドのバスバーに端子を取り付けるための接続構造部の改善が必要であることは明らかである。
【課題を解決するための手段】
【０００７】
公知技術の欠点及び限界点を克服するために、本発明が提供するプラスチック製窓システムには、透明なプラスチック・パネルと該パネルに設けられた導電性グリッドとが含まれている。導電性グリッドは少なくとも１個のバスバーを含み、電気端子が、このバスバーと電気接続されている。バスバーへの端子の固定はコネクタによって行われる。コネクタは、パネルから、パネルに対して外側位置へ延びる部分を含んでいる。
本発明の別の態様の場合、導電性グリッドは、アンテナ、電界ルミネセンスのボーダー、発熱グリッドのうちの１つである。
本発明の更に別の態様では、コネクタは、押圧縁部クリップであり、該縁部クリップの一端はパネル内に受容され、他端は端子をバスバーと接触するように付勢している。
【０００８】
本発明の付加的態様では、縁部クリップの他端が、縁部クリップの他端とバスバーとの間に端子を押圧している。
本発明の付加的態様では、縁部クリップが接着剤によってパネルに固着されている。
本発明の別の態様によれば、接着剤が縁部クリップの一端とパネルとの間に施されている。
本発明の更に別の態様によれば、縁部クリップの他端が、パネル縁部に形成された穴内に受容されている。
本発明の別の態様では、コネクタにネジが切られており、端子が、コネクタにネジ締結されたナットによってコネクタに接触保持されている。
【０００９】
本発明の付加的態様では、コネクタは、パネル全厚を貫通して延びている。
本発明の別の態様では、コネクタは、パネル全厚を貫通せずに延びている。
本発明の別の態様では、コネクタが導電性である。
本発明の別の態様では、コネクタが、パネルに固定された雌ネジ付きボスを含み、ボルトが該ボスとネジ締結されている。
本発明の付加的態様によれば、コネクタが、パネル表面に取り付けられ、バスバーを貫通してパネルから外方へ延びる柱状体を含み、該柱体に端子が受容されている。
【００１０】
本発明の別の態様では、コネクタは不導性である。
本発明の別の態様によれば、コネクタは、柱状体上に受容された圧縮ナット含み、該圧縮ナットが、バスバーと接触するように端子に付勢している。
本発明の別の態様によれば、コネクタは導電性である。
本発明の別の態様によれば、柱状体にはネジが切られている。
本発明の別の態様によれば、端子は、パネルの側縁内に形成された穴に受容されている。
【００１１】
本発明の別の態様によれば、コネクタが、側縁及び端子に形成された穴に対し横方向にパネル内へ延びている。
本発明の付加的態様によれば、導電性グリッドが、プラスチック・パネルと一体形成された発熱グリッドであり、該発熱グリッドが、導電性材料で形成された複数グリッド線を有しており、該複数グリッド線が、電源からの電流がグリッド線の各々を通過するさい、抵抗により発熱する。図２は、本発明の一実施例の部分断面図である。
【図面の簡単な説明】
【００１２】
【図１】本発明の原理を具体化する窓組立て体の略示図。
【図２】本発明の一実施例の部分断面図。（実施例１）
【図３】本発明の別の実施例の部分断面図。（実施例２）
【図４】本発明の更に別の実施例の部分断面図。（実施例３）
【図５】本発明の付加的実施例の部分断面図。（実施例４）
【図６】本発明の一実施例の部分断面図。（実施例５）
【図７】本発明の別に実施例の部分断面図。（実施例６）
【図８】本発明の別の実施例の部分断面図。（実施例７）
【図９】本発明の付加的実施例の部分断面図。（実施例８）
【発明を実施するための形態】
【００１３】
先ず図１を見ると、プラスチック製窓システム１０が、全体として示され、その主要な構成要素として、パネル１４に設けた導電性発熱グリッド１２を含んでいる。
パネル１４は、好ましくは熱可塑性樹脂製の透明なプラスチック・パネルであり、パネルには、耐候性かつ耐摩耗性の層が被覆されている。これらの耐候性かつ耐摩耗性の層は、発熱グリッド１２上に設けられるか、又は発熱グリッド１２を取り付ける前に、パネルに設けられる。
パネル１４自体は、例えば成形技術等の、当業者には周知のどのような技術を用いても形成することができ、該成形技術には、射出成形、ブロー成形、圧縮成形、及び／又は熱成形が含まれ、熱成形には、発熱成形、真空成形、常温成形が含まれる。必須ではないが、前記技術は互いに組み合わせて使用することもできる。例えば、パネルの第１層を金型の表面形状に熱成形し、その後で、第１層上へ別の層を射出成形し、第１層と一体接合して、目標形状の多層パネル１４を形成することができる。
【００１４】
パネル１４は、種々のプラスチック樹脂で成形できる。これらのプラスチック樹脂は、ポリカーボネート、アクリル、ポリアリーレート、ポリエステル、ポリスルフォンの各樹脂、並びに複数のコポリマー及びそれらの混合物を含むが、他のポリマー、例えばＰＢＴ、ＡＢＳ、ポリエチレン等と共重合又は配合してもよい。ただし、これらの樹脂に限定されない。パネル１４は、更に種々の添加剤、例えば、とりわけ着色剤、離型剤、抗酸化剤、紫外線吸収剤（ＵＶＡ）を含有することができる。
耐候性層は、ポリウレタン・コーティングか、アクリルの下塗りとシリコーン硬質コーティング被覆との組み合わせから成るのが好ましい。あるいは又、他のコーティング系を使用してもよい。
【００１５】
一好適実施例では、耐候性層の下塗り剤は、水を第１補助溶剤とし、有機液体を第２補助溶剤として成る水性アクリル下塗り剤である。下塗り剤／硬質被覆系に含まれている第２溶剤に関係する全体的な化学組には、グリコール・エーテル、ケトン、アルコール、アセテートが含まれている。アクリル樹脂は、水溶性、又は分散性、又は還元性の樹脂として含有されていてよい。下塗り剤は、他の添加剤、例えば、とりわけ界面活性剤、抗酸化剤、殺生剤、紫外線吸収剤（ＵＶＡｓ）、乾燥材を含有できるが、これらの添加剤に限定されるわけではない。この種のアクリル下塗り剤の一例としては、エクサテック（Ｅｘａｔｅｃ）（登録商標）ＳＨＰ  ９Ｘが挙げられるが、この下塗り剤は、エクサテック，ＬＬＣ社（ミシガン州ウィクソン）が製造し、ゼネラル・エレクトリック・シリコーンズ社（ニューヨーク州ウォータフォード）が販売している。
【００１６】
一例を挙げれば、シリコーン硬質被覆の樹脂は、複数アルコール溶剤の混合物内に分散したメチルシルセクイオクサン樹脂であるのが好ましい。シリコーン硬質被覆は、また別の添加剤、例えば、とりわけ界面活性剤、抗酸化剤、殺生剤、紫外線吸収剤、乾燥材を含有することもできるが、それらに限定はされない。好適なシリコーン硬質被覆も、エクサテック，ＬＬＣ社が製造し、ゼネラル・エレクトリック・シリコーンズ社がエクサテック（登録商標）ＳＨＸとして販売している。
耐候性層は、浸漬被覆として当業者には周知の処理により、室温かつ大気圧下で塗料内にパネルを浸漬することで透明なプラスチック・パネルに被着される。あるいは又、耐候性層は、当業者には周知のフロー・コーティング、カーテン・コーティング、スプレー・コーティング、その他の処理によっても被着できる。
【００１７】
自動車の装飾的な艶付け積層に機能性を、例えば改良耐摩耗性を付加又は増強する事実上無機のコーティングを、耐候性層に被着させることができる。耐摩耗性層を含む可能な無機コーティングの具体例は、酸化アルミニウム、フッ化バリウム、窒化ホウ素、酸化ハフニウム、フッ化ランタン、フッ化マグネシウム、酸化マグネシウム、酸化スカンジウム、一酸化ケイ素、二酸化ケイ素、窒化ケイ素、オキシ窒化ケイ素、オキシ炭化ケイ素、炭化ケイ素、水素化オキシ炭化ケイ素、酸化タンタル、酸化チタン、酸化スズ、酸化スズ・インジウム、酸化イットリウム、酸化亜鉛、セレン化亜鉛、硫化亜鉛、酸化ジルコニウム、チタン酸ジルコニウム、ガラス、これらの混合物又は配合物を含むが、これらに限定はされない。
【００１８】
耐摩耗性の層は、当業者には周知の技術により被着できる。それらの技術は、反応種からの析出、例えば真空蒸着処理で使用される反応種からの析出、及び大気圧コーティング処理、例えばゾル−ゲル・コーティングを基板に被着させるのに使用する処理等を含んでいる。真空蒸着法の例は、プラズマ・エンハンスド化学蒸着法（ＰＥＣＶＤ）、アーク−ＰＥＣＶＤ、イオン援用プラズマ析出、マグネトロン・スパッタリング、電子ビーム蒸着、イオンビーム・スパッタリングを含むが、これらに限定はされない。大気圧コーティング処理は、カーテン・コーティング、スプレー・コーティング、スピン・コーティング、浸漬塗装、フロー・コーティングを含むが、これらに限定はされない。
発熱グリッド１４は、好ましくは、概して対向的なバスバー１８，１９間に延びる一連のグリッド線１６を含むが、別の構成を用いてもよい。グリッド線１６は、幅又は厚さが等しくても異なっていてもよい。更に、グリッド線１６の少なくとも幾つかは、残りのグリッド線１６の間に延びる導電性フィルム又はコーティングに代えることができる。
【００１９】
バスバー１８，１９は陽と陰のバスバーに選定され、各々、電源２２の陽と陰のリード線２０，２１に接続されている。電源２２は、自動車の電気系統に接続できる。発熱グリッドへの電圧印加時には、電流が陽のバスバー１８からグリッド線１６を通って陰のバスバー１９へ流れ、結果としたグリッド線１６が抵抗発熱により発熱する。バスバー１８，１９及びグリッド線１６の幅と長さは、適当な寸法であればどのような寸法でもよく、部分的には、窓システム１０の寸法及び特性によって決まる。
パネル１４への発熱グリッド１２の取り付けは、当業者には現在又は今後に周知のどのような方法で行ってもよい。それらの方法には、パネル１４へ発熱グリッド１２を印刷する方法、又はプラスチックフィルムへの発熱グリッド１２の印刷後にフィルムをパネル１２にインサート成形又は装飾成形技術により取り付ける方法が含まれるが、それらに限定はされない。
この場合、種々の機械的なシステムが、端子をバスバー又は電気回路の端子パッドに接続するのに備えられている。
【実施例１】
【００２０】
本発明の第１実施例では、図２に見られるように、発熱グリッド１２（バスバー１８，１９及びグリッド線１６）が、全体を符号１７で示した耐候層及び耐摩耗層の頂面の一層又は両層にわたってパネル１４に取り付けられている。分かりやすくするために、以下では、バスバー対１８，１９の一方のバスバー１８のみを説明するが、この説明は発熱グリッド１８，１９の両方に適用できることを理解されたい。端子３０及び接続線３２とは、バスバー１８との接点上及び接点内に設けられている。端子３０をバスバー１８に固定するために、押圧縁部クリップ３４がパネル１４の端部又は縁部３６を囲んで配置されている。縁部クリップ３４は、好ましくはバネ鋼製であり、端子３０がバスバー１８に接触するように付勢している。あるいは又、縁部クリップ３４は、必要な付勢力を加えられるものであれば、プラスチックを含むどのような材料で作ることもできる。
【００２１】
縁部クリップ３４の一端、つまり端部３８は、端子３０上に位置し、端子３０をバスバー１８に固定している。端部３８には、接続線３２がクリップ３４の端部３８を貫通することができるように、スロット又は穴４０が設けられている。縁部クリップ３４の他端４２は、パネル１４の縁部３６内に設けられた穴４４内に挿入するのが好ましい。この穴４４は、パネルの形成時に縁部に成形するか、成形後の作業時に、縁部に中ぐりすることができる。縁部クリップ３４は、それ自体でバスバー１８上に端子３０を拘束する十分な付勢力を有する一方、エポキシ又は他の接着剤等の接着剤４６を用いてパネル１４に接着されるのが好ましい。接着剤４６は、縁部クリップ３４と、発熱グリッド１２が配置されたパネル側との間に施されるのが好ましい。加えて、接着剤は、縁部クリップ３４の他端を固定するために、穴４４内へも施される。
【実施例２】
【００２２】
図３には、本発明の第２実施例が示されている。前の実施例のように、発熱グリッド１２が、全体を符号１７で示された耐候層及び耐摩耗層の頂面の１層又は両層にわたってパネル１４に取り付けられている。端子３０及び接続線を発熱グリッド１４に固定するために、この実施例の場合、バスバー１８自体も含めてパネル１４の全厚を貫通する穴４８が中ぐりされている。端子３０は、バスバー１８の頂面に配置され、ネジボルト５０が、穴４８と端子３０の穴とを貫通して延びている。したがって、この端子３０はリング形が好ましいが、フォーク状の端子も使用できる。ボルト５０にはナット５２がネジ締結され、ナット５２とバスバー１８間に端子３０が固定される。端子３０、ナット５２、ボルト５０の端部の見場を良くするために、ボルト５０の端部とナット５２にキャップ（図示せず）をかぶせてもよい。端子３０がバスバー１８に直接接触するので、ボルト５０は、導電性の材料で作る必要はない。
【実施例３】
【００２３】
図４には、本発明の第４実施例が示されている。この実施例では、ネジ軸５４がパネル１４の一方の側に埋め込まれている。軸をパネル１４に埋め込むために、パネル１４の一方の側に、穴５６が、パネル成形時に成形されるか、パネル製造後に中ぐりされる。次いで、軸５４を穴５６内へ挿入し、接着剤、例えばエポキシ又は他の接着剤で固定する。図３の実施例同様、端子３０は、バスバー１８の頂部に配置され、軸５４の端部は端子３０の穴を通して延びている。この実施例でも、端子３０は、リング状であるのが好ましいが、フォーク状の端子を使用してもよい。軸５４にはナット６０を締結することにより、ナット６０とバスバー１８間に端子３０を固定できる。見場を良くするために、端子３０、ナット６０、軸５４の端部にはキャップ（図示せず）をかぶせることができる。端子３０はバスバー１８と直接接触するので、ボルト５０は導電性材料で作る必要はない。
【実施例４】
【００２４】
図５には、本発明の別の実施例が示されている。この実施例では、ネジ山なしの柱状体６２がパネル表面に取り付けられた後に、耐候層及び耐摩耗層１７が設けられる。柱状体６２を固定するには、接着剤、例えばエポキシ又は他の接着剤を使用できる。端子３０は、バスバー１８の頂部に配置され、柱状体６０の端部が端子の穴又はスロットを貫通して延びている。既出の実施例同様、端子３０は、好ましくはリング状又はフォーク状である。柱状体６２の端部には圧縮ナット６４が締結され、端子を押圧してバスバー１８と電気接続させている。この場合も、端子３０がバスバー１８と直接接触しているので、柱状体は導電性材料で作る必要はない。
【実施例５】
【００２５】
図６に示すように、本発明の追加実施例は、耐候層及び耐摩耗層１７の頂面にボス６６を有している。ボス６６は、雌ネジ６８を備え、バスバー１８は、電気接点の周囲と接点内にボス６６を備えている。端子７０は、他の実施例に見られる構成とは異なる構成を有し、ネジボルト７２と一体形成されている。ボルト７２は、導電材料製のボス６６に締結されるので、端子７０とバスバー１８との電気接続が、ボス６６及びボルト７２を介して可能になる。所望とあれば、見場を良くするために、取り付け構造物にキャップをかぶせることもできる。
図７及び図８には２つの追加実施例が示されている。これらの実施例の各々では、コネクタがパネル１４に取り付けられた後に、耐候層及び耐摩耗層１７が設けられ、バスバー１８がコネクタの一部の頂部に印刷される。
【実施例６】
【００２６】
図７では、コネクタ７８は、不導性材料で作られ、概して平らな拡張された基部８２から延びる円筒形柱状部８０を含んでいる。基部８２は、接着剤８４でパネル１４に固定されている。柱状部には端子３０がはめ込まれ、バスバー１８と接触している。柱状部８０には圧縮ナット８６が締結されているので、端子３０はバスバー１８と強制的に接触を維持される。
【実施例７】
【００２７】
図８の場合、コネクタ８６は、導電性材料で作られ、概して平らな拡張された基部９０から延びるネジ柱状部８８を含んでいる。基部９０は、接着剤９２によりパネル１４に固定されている。端子９４は、柱状部９８にはめ込まれ、バスバー１８と直接接触している。端子９４は、それ自体が雌ネジを備えているので、柱状部８８に直接締結できるが、既出の実施例で説明したように、ナット（図示せず）を柱状部に締結して端子９４を固定してもよい。
【実施例８】
【００２８】
図９には、本発明の最後の実施例が示されている。この実施例では、パネル１４の側縁部３６に穴９４が形成されている。この穴９４内へ端子９６が挿入されている。側縁部の穴９４に対して横方向に第２の穴９８が、パネル１４内に設けられ、バスバー１８を貫通し、側縁部の穴９４と交差するように位置づけられている。ネジ又はボルト１００が、横方向の穴９８を貫通して延び、端子と係合し、端子を固定している。ボルト１００は、端子９６の端部の穴を貫通するか、又はボルト１００の端部と穴９４の側壁との間に端子９６の端部を押圧する。ボルト１００を導電性材料で作ることにより、端子はバスバー１８と発熱グリッド１２に電気接続される。
【００２９】
好適実施例についての以上の説明は、本来、代表例に過ぎず、本発明、又はその適用、又はその使用を制限する意図のものではない。当業者には、以上の説明から、特許請求の範囲に記載の本発明の範囲を逸脱することなく、変更態様及び変化形を本発明の好適実施例に成し得ることが理解されよう。
【図１】
2010525550.tif 000003
【図２】
2010525550.tif 000004
【図３】
2010525550.tif 000005
【図４】
2010525550.tif 000006
【図５】
2010525550.tif 000007
【図６】
2010525550.tif 000008
【図７】
2010525550.tif 000009
【図８】
2010525550.tif 000010
【図９】
2010525550.tif 000011
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
プラスチック製窓システムにおいて、
透明のプラスチック・パネルと、
プラスチック・パネル上に設けられ、少なくとも１バスバーを含む導電性グリッドと、
バスバーに電気接続された電気端子と、
コネクタとを含み、該コネクタが、バスバーに端子を固定し、パネルから、パネルに対しバスバーの外側位置へ延びる部分を含み、更に、
前記コネクタが、次の群のうちから選択された１つ、すなわち
ａ）パネル内に受容される一端と、端子を付勢してバスバーに接触させる他端とを含む押圧縁部クリップ、
ｂ）ネジ切りされ、ネジ締結されるナットにより端子との接触固定を維持するコネクタ、
ｃ）パネルに固定された雌ネジ付きボスと、ボスにネジ締結されるボルトとを含むコネクタ、
ｄ）パネル表面に取り付けられ、パネルから外方へバスバーを貫通して延びる柱状部を含み、端子を受容するコネクタ、
ｅ）パネル側縁内に形成された穴内に受容された端子、のいずれかである、プラスチック製窓システム。
【請求項２】
前記導電性グリッドが、アンテナ、エレクトロルミネセンス・ボーダー、発熱グリッドのうちの１つである、請求項１記載のプラスチック製窓システム。
【請求項３】
縁部クリップの前記他端が、該他端とバスバーとの間に端子を押止する、請求項１記載のプラスチック製窓システム。
【請求項４】
前記縁部クリップが、更に接着剤によってパネルに固定される、請求項１記載のプラスチック製窓システム。
【請求項５】
前記接着剤が縁部クリップの一端とパネルとの間に施される、請求項４記載のプラスチック製窓システム。
【請求項６】
縁部クリップの前記他端がパネル縁部内に形成された穴に受容される、請求項１記載のプラスチック製窓システム。
【請求項７】
前記コネクタがパネルの全厚にわたって延在している、請求項１記載のプラスチック製窓システム。
【請求項８】
前記コネクタがパネルの全厚にわたっては延在していない、請求項１記載のプラスチック製窓システム。
【請求項９】
前記コネクタが導電性である、請求項１記載のプラスチック製窓システム。
【請求項１０】
前記コネクタが不導性である、請求項１記載のプラスチック製窓システム。
【請求項１１】
前記コネクタが柱状部に受容される圧縮ナットを含み、該圧縮ナットが端子を付勢してバスバーに接触させる、請求項１０記載のプラスチック製窓システム。
【請求項１２】
前記コネクタが導電性である、請求項１記載のプラスチック製窓システム。
【請求項１３】
前記柱状部がネジ切りされている、請求項１２記載のプラスチック製窓システム。
【請求項１４】
前記コネクタが前記側縁部に形成された穴と端子とに対し横方向にパネル内へ延びている、請求項１記載のプラスチック製窓システム。
【請求項１５】
前記導電性グリッドが、プラスチック・パネルと一体形成された発熱グリッドであり、該発熱グリッドが、導電性材料で形成された複数のグリッド線を有し、該複数グリッド線が、電源からグリッド線各々を経て電流が流れるさい、抵抗発熱する、請求項１記載のプラスチック製窓システム。
【国際調査報告】
2010525550.tif 000012
2010525550.tif 000013
2010525550.tif 000014